(57)【要約】【課題】  ランプの熱線変化検知によるランプの誤点灯を良好に防止することができる人検知センサーユニットおよびそれを備えた照明器具を提供する。【解決手段】  人検知センサーユニット１０は、赤外線変化を検知する検知部１１と、検知部１１の検知出力に基づいて予め設定した点灯保持時間のあいだランプ５０を点灯制御または調光制御するための信号を出力する制御部１２とを備える。制御部１２は、点灯保持時間経過後の予め設定した時間内における検知部１１の検知出力に対しては、ランプ５０を点灯制御または調光制御するための信号を出力することを見合わせる。本照明器具は、この人検知センサーユニットを備える。【選択図】図３
2010040379.tif 000002
【特許請求の範囲】
【請求項１】
赤外線変化を検知する検知部と、前記検知部の検知出力に基づいて予め設定した点灯保持時間のあいだランプを点灯制御または調光制御するための信号を出力する制御部とを備えたランプ点灯制御用の人検知センサーユニットであって、前記制御部は、前記点灯保持時間経過後の予め設定した時間内における前記検知部の検知出力に対しては、前記ランプを点灯制御または調光制御するための信号を出力することを見合わせることを特徴とする人検知センサーユニット。
【請求項２】
前記点灯保持時間経過後の予め設定した時間が、３秒〜６秒であることを特徴とする請求項１記載の人検知センサーユニット。
【請求項３】
ランプと、前記ランプを点灯するためのランプ点灯装置と、前記ランプ点灯装置に前記ランプを点灯制御または調光制御するための信号を出力する請求項１または２記載の人検知センサーユニットとを備えたことを特徴とする照明器具。
【請求項４】
前記ランプが蛍光ランプであることを特徴とする請求項３記載の照明器具。
【請求項５】
前記人検知センサーユニットの検知部が、前記ランプからの熱線を検知可能な位置に配置されたことを特徴とする請求項３または４記載の照明器具。
【発明の詳細な説明】
【技術分野】
【０００１】
本発明は、人検知センサーユニットおよびそれを備えた照明器具に関する。
【背景技術】
【０００２】
従来から、人検知センサーユニットを備えた照明器具が知られている。この種の人検知センサーユニットは、例えば人の接近により赤外線変化を検知するとランプを点灯させ、一定時間その点灯状態を保持し、その後消灯するように構成される。
【０００３】
赤外線変化を検知してランプの点灯状態を制御する人検知センサーユニットの検知部は、ランプの熱線の影響を受けないように、ランプと検知部の配置に制約がある。これは、ランプが点灯状態から消灯状態に移行するとき、人がいない場合でもランプの熱線の変化をセンサーユニットの検知部が検知し、ランプを再点灯させるおそれがあるからである。そのため、例えば図４に示すように、照明器具のランプソケット４０に装着されたランプ５０の熱線５１が反射板３０から露出した人検知センサーユニットの検知部１１に影響を与えないように、ランプ５０に対する検知部１１の配置位置を考慮しなければならない。これに関連して、特許文献１では、センサーユニットの検知部を照明器具の本体外周よりも内側において、ランプ長手方向の一方の端部の口金近傍に配置することが提案されている。
【特許文献１】特開２００１−３４５０１５号公報
【発明の開示】
【発明が解決しようとする課題】
【０００４】
本発明の目的は、ランプの熱線変化検知によるランプの誤点灯を良好に防止することができる人検知センサーユニットおよびそれを備えた照明器具を提供することにある。
【課題を解決するための手段】
【０００５】
上記目的は、赤外線変化を検知する検知部と、前記検知部の検知出力に基づいて予め設定した点灯保持時間のあいだランプを点灯制御するための信号を出力する制御部とを備えたランプ点灯制御用の人検知センサーユニットであって、前記制御部は、前記点灯保持時間経過後の予め設定した時間内における前記検知部の検知出力に対しては、前記ランプを点灯制御するための信号を出力することを見合わせる人検知センサーユニットにより、達成される。ここで、前記点灯保持時間経過後の予め設定した時間は、好適には３秒〜６秒である。
【０００６】
本発明に係る照明器具は、ランプと、前記ランプを点灯するためのランプ点灯装置と、前記ランプ点灯装置に前記ランプを点灯制御または調光制御するための信号を出力する上記人検知センサーユニットとを備える。ここで、前記ランプは蛍光ランプとすることができる。また、前記人検知センサーユニットの検知部は、前記ランプからの熱線を検知可能な位置に配置することができる。
【発明の効果】
【０００７】
本発明によれば、ランプの熱線変化検知によるランプの誤点灯を良好に防止することができる。これにより、ランプの熱線の影響を受けやすい箇所に検知部の配置が可能となり、ランプとの間隔の確保が期待できない、より小形の照明器具にセンサーを内蔵することが可能となる。また、検知部の設置場所を選ばずに照明器具への設置が可能となる。
【発明を実施するための最良の形態】
【０００８】
以下、本発明の実施例を図１〜図３に沿って説明する。
図１は、本発明に係る人検知センサーユニットを備えた照明器具の一実施例を示す図である。本照明器具は、図示のように、直管形蛍光ランプ５０と、ランプを装着するための一対のランプソケット４０と、器具本体に取り付けられた反射板３０と、反射板内部に配置されたランプ点灯装置２０と、ランプ点灯装置にランプを点灯制御または調光制御するための信号を出力する人検知センサーユニット１０とを備える。本実施例では、照明器具に装着されるランプは直管形蛍光ランプとしたが、ランプはこれに限定されない。人検知センサーユニット１０は、反射板内部から露出し赤外線変化を検知する検知部１１と、反射板内部に配置され検知部１１の検知出力に基づいて予め設定した点灯保持時間のあいだランプを点灯制御または調光制御するための信号を出力する制御部１２とを備える。
【０００９】
図２は、図１における人検知センサーユニット１０の検知部１１とランプ５０との位置関係を示す側面図である。図２に示すように、人検知センサーユニット１０の検知部１１はランプ５０の近くに配置され、ランプ５０の熱線５１が、検知部１１に影響を及ぼす。しかし、本実施例では、人検知センサーユニット１０の制御装置１２の処置により、ランプが点灯状態から消灯したときでもランプの再点灯は防止される。以下、この点について説明する。
【００１０】
図３は、本発明に係る人検知センサーユニットの熱線変化検知によるランプの点灯状態の一例を示す図である。図示のように、時刻ｔ１において、人検知センサーユニット１０の検知部１１が例えば人の接近により熱線（赤外線）変化を検知すると、この信号を受けた制御部１２が点灯装置２０へのランプ点灯制御信号を出力し、ランプを点灯させる。ランプ点灯後は、熱線変化の検知がなくても時刻ｔ２からｔ３までの所定の点灯保持時間はランプを点灯状態に保持し、そのあと時刻ｔ３でランプが消灯または調光（減光点灯）状態となるように点灯装置２０に点灯制御信号を出力する。上記において、制御部１２が電源切替制御を行う場合は、検知部１１の熱線変化信号を受けた制御部１２が点灯装置２０へ電源切替制御を行い、ランプを点灯させ、点灯後は所定の点灯保持時間後に電源切替制御し、点灯装置２０への電力を制御してランプを消灯させるが、この場合も上述のランプ点灯制御に含む。
【００１１】
本発明では、制御部１２は、ランプ点灯保持時間経過後の時刻ｔ３からｔ４までの予め設定した時間内における検知部１１の検知出力に対しては、ランプ５０を点灯制御または調光制御するための信号を出力することを見合わせる。例えば、ランプ点灯保持時間経過後に、検知部１１の出力を制御部１２が強制的にキャンセルする無検知待機時間を設ける。上記点灯保持時間経過後の予め設定した時間（無検知待機時間）は、好適には３秒〜６秒である。この時間を過ぎれば、ランプ５０の消灯または調光による点灯状態切り替わり時またはその直後の検知部１１の熱線変化の影響を回避できると考えられるからである。これにより、検知部１１によるこの種の検知出力に対して、ランプが誤点灯しないようにすることができる。すなわち、ランプ点灯保持時間後のランプ５０の熱線変化による再点灯の不要動作を防止することができる。このため、熱線の影響を受けやすいランプの近くでも人検知センサーユニット１０の検知部１１の配置が可能となり、検知部配置の自由度が増す。
【図面の簡単な説明】
【００１２】
【図１】本発明に係る人検知センサーユニットを備えた照明器具の一実施例を示す図である。
【図２】図１における人検知センサーユニットの検知部とランプとの位置関係を示す側面図である。
【図３】本発明に係る人検知センサーユニットの熱線変化検知によるランプの点灯状態の一例を示す図である。
【図４】従来の人検知センサーユニットの検知部とランプとの位置関係を示す側面図である。
【符号の説明】
【００１３】
１０：人検知センサーユニット
１１：検知部
１２：制御部
２０：点灯装置
３０：反射板
４０：ランプソケット
５０：蛍光ランプ
５１：ランプ熱線
【図１】
2010040379.tif 000003
【図２】
2010040379.tif 000004
【図３】
2010040379.tif 000005
【図４】
2010040379.tif 000006